(57)【要約】【課題】往復で利用しても安価であり、かつ、使用しやすい往復封筒を提供する。【解決手段】往復封筒１０は、第１及び第２のシート１１−１，１１−２が天辺以外の３辺で貼り合わされた封筒本体１１と、往路用宛先表示欄１２ａ及び往路用バーコード１２ｂを有する往路用宛先部１２と、復路用宛先表示欄１３ａ及び復路用バーコード１３ｂを有する復路用宛先部１３と、分離用ミシン目ｍｃ１によって分離可能に設けられた控片１４と、控片１４を分離したときに、封筒本体１１の形状を維持するための形状維持シート１５と、第１のシート１１−１から、往路用宛先表示欄１２ａの一部と往路用バーコード１２ｂとを分離しながら、この往復封筒１０を開封し、取り出し口１６を形成する開封用ミシン目ｍｃ２と、この往復封筒１０の開封方法を表示する誘導文１７と、折り畳まれて取り出し口１６を塞ぐとともに、往路用宛先部１２を隠蔽するフラップ部１８などとを備える。【選択図】図１
2006306409.tif 000002
【特許請求の範囲】
【請求項１】
封筒本体と、
前記封筒本体に設けられた往路用宛先部と、
前記封筒本体に設けられた復路用宛先部と、
前記封筒本体から前記往路用宛先部の少なくとも一部を分離しながら、この往復封筒を開封する分離開封手段と、
を備える往復封筒。
【請求項２】
請求項１に記載の往復封筒において、
前記往路用宛先部は、機械読み取り可能な識別情報を含み、
前記分離開封手段は、少なくとも前記識別情報を分離すること、
を特徴とする往復封筒。
【請求項３】
請求項１又は請求項２に記載の往復封筒において、
前記往路用宛先部及び前記復路用宛先部は、同一平面上に設けられていること、
を特徴とする往復封筒。
【請求項４】
請求項１から請求項３までのいずれか１項に記載の往復封筒において、
前記分離開封手段は、前記往路用宛先部付近に設けられたカット線であり、
前記カット線は、内容物を取り出す取り出し口を形成すること、
を特徴とする往復封筒。
【請求項５】
請求項１から請求項３までのいずれか１項に記載の往復封筒において、
前記封筒本体は、内容物を取り出す取り出し口を備え、
前記往路用宛先部は、少なくとも前記取り出し口を塞ぐように配置され、
前記分離開封手段は、前記封筒本体と前記往路用宛先部とを擬似接着する擬似接着層であること、
を特徴とする往復封筒。
【請求項６】
請求項４又は請求項５に記載の往復封筒において、
前記封筒本体は、前記取り出し口を塞ぐフラップ部を備えること、
を特徴とする往復封筒。
【請求項７】
請求項６に記載の往復封筒において、
前記フラップ部は、前記往路用宛先部を隠蔽すること、
を特徴とする往復封筒。
【請求項８】
請求項６又は請求項７に記載の往復封筒において、
前記フラップ部を封緘する封緘手段を備えること、
を特徴とする往復封筒。
【請求項９】
請求項１から請求項８までのいずれか１項に記載の往復封筒において、
前記封筒本体に分離可能に設けられた控片と、
前記控片を分離したときに、前記封筒本体の形状を維持する形状維持シートとを備えること、
を特徴とする往復封筒。
【請求項１０】
請求項１から請求項９までのいずれか１項に記載の往復封筒において、
前記封筒本体に分離又は剥離可能に設けられた控片を備え、
前記復路用宛先部は、前記控片の下層に設けられていること、
を特徴とする往復封筒。
【請求項１１】
請求項１から請求項１０までのいずれか１項に記載の往復封筒において、
前記封筒本体に分離又は剥離可能に設けられた控片を備え、
前記控片は、前記封筒本体の非下端部に設けられていること、
を特徴とする往復封筒。
【請求項１２】
請求項１から請求項１１までのいずれか１項に記載の往復封筒において、
前記分離開封手段付近に設けられ、この往復封筒の使用方法を表示する使用方法表示部を備えること、
を特徴とする往復封筒。
【発明の詳細な説明】
【技術分野】
【０００１】
本発明は、往路と復路で利用可能な往復封筒に関するものである。
【背景技術】
【０００２】
従来、例えば、小物通販（通信販売）製品の場合、せっかく安価なメール便を使って配送しても、返品する際には、郵便や通常の宅配便で行う場合が多く、コストがかかっていた。
【０００３】
通販の場合、返品の際の配達料金は、消費者負担とすれば消費者が不満に思い、通販業者負担とすれば、収益圧迫につながる、という課題があった。確かに、３００円の商品を購入してこれを返品するために、配達料金が５００円かかるのであれば、返品をためらってしまうことになる。
消費者は、こういった場合に泣き寝入りするしかないのであるが、通販会社からみれば顧客満足度の低下となり、結果的にブランドイメージの低下につながってしまう。
また、不良品や作業ミスで返品する、といった通販会社事情であっても、同様にコストがかかるため、やはり問題視されてきた。
【０００４】
一方、特許文献１は、往路と復路で利用可能な往復封筒を開示しているが、返送時には、封筒の内外面をひっくり返して使用しなければならず、生活者にとっては使用しづらい、という可能性があった。
【特許文献１】特開２００１−１９２０３９号公報
【発明の開示】
【発明が解決しようとする課題】
【０００５】
本発明は、これらの事情を鑑みてなされたものであり、その課題は、往復で利用しても安価であり、かつ、使用しやすい往復封筒を提供することである。
【課題を解決するための手段】
【０００６】
前記課題を解決するために、請求項１の発明は、封筒本体と、前記封筒本体に設けられた往路用宛先部と、前記封筒本体に設けられた復路用宛先部と、前記封筒本体から前記往路用宛先部の少なくとも一部を分離しながら、この往復封筒を開封する分離開封手段と、を備える往復封筒である。
請求項２の発明は、請求項１に記載の往復封筒において、前記往路用宛先部は、機械読み取り可能な識別情報を含み、前記分離開封手段は、少なくとも前記識別情報を分離すること、を特徴とする往復封筒である。
請求項３の発明は、請求項１又は請求項２に記載の往復封筒において、前記往路用宛先部及び前記復路用宛先部は、同一平面上に設けられていること、を特徴とする往復封筒である。
請求項４の発明は、請求項１から請求項３までのいずれか１項に記載の往復封筒において、前記分離開封手段は、前記往路用宛先部付近に設けられたカット線であり、前記カット線は、内容物を取り出す取り出し口を形成すること、を特徴とする往復封筒である。
請求項５の発明は、請求項１から請求項３までのいずれか１項に記載の往復封筒において、前記封筒本体は、内容物を取り出す取り出し口を備え、前記往路用宛先部は、少なくとも前記取り出し口を塞ぐように配置され、前記分離開封手段は、前記封筒本体と前記往路用宛先部とを擬似接着する擬似接着層であること、を特徴とする往復封筒である。
請求項６の発明は、請求項４又は請求項５に記載の往復封筒において、前記封筒本体は、前記取り出し口を塞ぐフラップ部を備えること、を特徴とする往復封筒である。
請求項７の発明は、請求項６に記載の往復封筒において、前記フラップ部は、前記往路用宛先部を隠蔽すること、を特徴とする往復封筒である。
請求項８の発明は、請求項６又は請求項７に記載の往復封筒において、前記フラップ部を封緘する封緘手段を備えること、を特徴とする往復封筒である。
請求項９の発明は、請求項１から請求項８までのいずれか１項に記載の往復封筒において、前記封筒本体に分離可能に設けられた控片と、前記控片を分離したときに、前記封筒本体の形状を維持する形状維持シートとを備えること、を特徴とする往復封筒である。
請求項１０の発明は、請求項１から請求項９までのいずれか１項に記載の往復封筒において、前記封筒本体に分離又は剥離可能に設けられた控片を備え、前記復路用宛先部は、前記控片の下層に設けられていること、を特徴とする往復封筒である。
請求項１１の発明は、請求項１から請求項１０までのいずれか１項に記載の往復封筒において、前記封筒本体に分離又は剥離可能に設けられた控片を備え、前記控片は、前記封筒本体の非下端部に設けられていること、を特徴とする往復封筒である。
請求項１２の発明は、請求項１から請求項１１までのいずれか１項に記載の往復封筒において、前記分離開封手段付近に設けられ、この往復封筒の使用方法を表示する使用方法表示部を備えること、を特徴とする往復封筒である。
【発明の効果】
【０００７】
本発明によれば、封筒本体に、往路用宛先部と復路用宛先部とを設けたので、封筒本体を往復でそのまま利用でき、安価な往復封筒とすることができる。
また、開封時に、往路用宛先部の少なくとも一部が分離されるので、封筒本体が自然に復路用の封筒になり、生活者にとっては使用しやすく、復路での配送ミスも起こらない。
【発明を実施するための最良の形態】
【０００８】
本発明は、往復で利用しても安価であり、かつ、使用しやすい往復封筒を提供するという目的を、封筒本体に往路用宛先部と復路用宛先部とを設け、往路用の宛先とバーコードを分離しながら開封することにより実現する。
【実施例１】
【０００９】
以下、図面等を参照して、本発明の実施例について、さらに詳しく説明する。
図１は、本発明による往復封筒の実施例１を示す図である。
実施例１の往復封筒１０は、図１（Ａ）に示すように、封筒本体１１と、往路用宛先部１２と、復路用宛先部１３と、控片１４と、形状維持シート１５と、開封用ミシン目（分離開封手段）ｍｃ２と、誘導文（使用方法表示部）１７と、フラップ部１８などとを備える。
【００１０】
封筒本体１１は、第１及び第２のシート１１−１，１１−２が、接着剤などによって天辺以外の３辺が貼り合わされたものである。
【００１１】
往路用宛先部１２は、第１のシート１１−１に設けられ、往路用の宛先が表示される往路用宛先表示欄１２ａと、機械読み取り可能な往路用バーコード（識別情報）１２ｂとを備える。
復路用宛先部１３は、往路用宛先部１２と同様に、第１のシート１１−１に設けられ、復路用宛先表示欄１３ａと、復路用バーコード１３ｂとを備える。
したがって、往路用宛先部１２及び復路用宛先部１３は、第１のシート１１−１の同一平面上に設けられている。
【００１２】
控片１４は、第１のシート１１−１に、分離用ミシン目ｍｃ１によって分離可能に設けられ、店側控１４ａと、運輸会社控１４ｂと、客側控１４ｃとを備える。
【００１３】
形状維持シート１５は、控片１４の下層に貼り合わされ、控片１４を分離したときに、封筒本体１１に孔が開かないように、封筒本体１１の形状を維持するためのシートである。
また、形状維持シート１５は、その表面に、広告欄１５ａ（図１（Ｅ）参照）が印刷されている。
【００１４】
開封用ミシン目ｍｃ２は、第１のシート１１−１の往路用宛先部１２付近に設けられ、第１のシート１１−１から、往路用宛先表示欄１２ａの一部と往路用バーコード１２ｂとを分離しながら、この往復封筒１０を開封するカット線である。また、開封用ミシン目ｍｃ２は、内容物を取り出す取り出し口１６（図１（Ｃ）参照）を形成する。
【００１５】
誘導文１７は、２本の開封用ミシン目ｍｃ２の間に設けられ、この往復封筒１０の開封方法（使用方法）を表示するものであり、本実施例では、「往復で使用できます。ミシン目に沿って丁寧に開封してください。」といった文字が印刷されている。
【００１６】
フラップ部１８は、封筒本体１１の天側に設けられ、折り畳まれて取り出し口１６を塞ぐとともに、往路用宛先部１２を隠蔽するものである。
【００１７】
次に、実施例１による往復封筒１０の使用方法について説明する。
まず、図１（Ｂ）に示すように、ＯＡプリンタなどで、往路用宛先部１２及び復路用宛先部１３に必要事項（宛先やバーコードなど）を印字し、荷物を入れて発送する。
ついで、図１（Ｃ）に示すように、この往復封筒１０を受け取った生活者は、誘導文１７を読み、開封用ミシン目ｍｃ２で開封し、荷物を取り出す。
さらに、図１（Ｄ）に示すように、荷物を返送する際には、その荷物を往復封筒１０に入れ、フラップ部１８を手前側に折り返す。
そして、図１（Ｅ）に示すように、テープＴなどで封緘し、取扱店やコンビニエンスストアなどに往復封筒１０を持ち込み、店員は、必要事項を記入し、分離用ミシン目ｍｃ１で控片１４を切り取り、各控をそれぞれの者に渡す。
【００１８】
このように、実施例１によれば、以下のような効果がある。
（１）封筒本体１１に、往路用宛先部１２と復路用宛先部１３とを設けたので、封筒本体１１を往復でそのまま利用でき、安価な往復封筒１０とすることができる。
（２）開封時に、往路用宛先表示欄１２ａの一部と往路用バーコード１２ｂとが分離されるので、封筒本体１１が自然に復路用の封筒になり、生活者にとっては使用しやすく、復路での配送ミスも起こらない。
（３）開封作業で自動的にかつ確実に往路用バーコード１２ｂを除去することができ、しかも、返送時には、フラップ部１８で往路用宛先部１２を隠蔽するので、生活者や店員、配送員が戸惑うような状況には陥りにくい。
【００１９】
（４）印字を要する部分（往路用宛先部１２及び復路用宛先部１３）が同一平面上に設けられているため、宛先やバーコードを一度に印字することができ、マッチングミスが起こらない。
（５）形状維持シート１５を備えるので、控片１４を分離しても封筒本体１１の形状を維持することができ、また、控片１４を分離したときに、広告欄１５ａが現れるので、効果的な広告とすることができ、また、スペースにも無駄がない。
（６）開封用ミシン目ｍｃ２付近に誘導文１７を備えるので、生活者が使用方法を理解しやすい。
【実施例２】
【００２０】
図２は、本発明による往復封筒の実施例２を示す図である。
なお、前述した実施例１と同様な機能を果たす部分には、同一の符号又は末尾に統一した符号を付して、重複する説明や図面を適宜省略する。
実施例２の往復封筒１０Ａは、控片１４を剥離するタイプのものである。
第１のシート１１−１の地側部分には、第３のシート１１−３が貼り合わされ、その第３のシート１１−３は、中央に寄った部分（封筒本体１１の非下端部）に控片１４を備える。
控片１４は、ハーフカットｈｃによって区画され、また、その部分は、擬似接着層（剥離層１９ａ／接着剤１９ｂ）１９を介して第１のシート１１−１に剥離可能に設けられている。
【００２１】
使用方法は、実施例１のものと略同様であるが、控片１４は、剥離可能に設けられているので、実施例１の特徴に加え、ラベル式の配送伝票などと同様に、控片１４を簡単に剥離することができ（図２（Ｃ）参照）、取扱店やコンビニエンスストアでの受付業務を簡略化することができる。
また、控片１４を中央寄りに配置しているので、荷物を投入したときの膨らみで、控片１４が往路で剥離してしまうことを防止することができる。
さらに、実施例１では、エンドレス柄印刷に限定されていた広告欄１５ａであるが、実施例２では、第１のシート１１−１に広告欄１５ａを設けることができるので、控片１４の下層にも、好適な絵柄を印刷することができる。
【実施例３】
【００２２】
図３は、本発明による往復封筒の実施例３を示す図である。
実施例３の往復封筒１０Ｂは、開封用ミシン目ｍｃ２によって開封するものではなく、剥離によって開封するものである。
第１のシート１１−１は、内容物を取り出す取り出し口１６を備え、その取り出し口１６は、ハーフカットｈｃによって区画されている。
第３のシート１１−３は、擬似接着層（分離開封手段）１９を介して、第１のシート１１−１の天側部分に剥離可能に設けられ、往路用宛先部１２及び控片１４は、ハーフカットｈｃによって区画されている。
往路用宛先部１２は、取り出し口１６を塞ぐように配置され、復路用宛先部１３は、控片１４の下層の第１のシート１１−１に設けられている。
誘導文１７は、本実施例では、「往復で使用できます。左下の赤い三角マークから剥がしてください。」といった文字が印刷されている。
【００２３】
次に、実施例３による往復封筒１０Ｂの使用方法について説明する。
まず、図３（Ｂ）に示すように、ＯＡプリンタなどで必要事項を印字し、荷物を入れて発送する。
ついで、図３（Ｃ）に示すように、往路用宛先部１２を剥離すると、往路用宛先部１２とともにハーフカットｈｃの内側の第１のシート１１−１が剥離し、自動的に取り出し口１６が形成され、隠れていた取り出し口１６が出現する。
さらに、図３（Ｄ）に示すように、荷物を入れて封緘し、そのまま取扱店やコンビニエンスストアなどに持ち込む。
そして、図３（Ｅ）に示すように、控片１４を剥離すると、復路用宛先部１３が出現する。
【００２４】
このように、実施例３によれば、実施例２の特徴に加え、往路での意図せぬ開封や、荷物の飛び出しを防止しつつ、簡単な動作で荷物が取り出せ、しかも、返送作業もきわめてシンプルな形態とすることができる。
また、往路では、復路用の宛先やバーコードが表出していないため、配送時の作業性が向上する。
【００２５】
（変形例）
以上説明した実施例に限定されることなく、種々の変形や変更が可能であって、それらも本発明の均等の範囲内である。
返送時の封緘は、テープＴで封緘する例で説明したが、例えば、フラップ部１８に、剥離紙で保護された粘着剤層（封緘手段）を設け、その粘着剤層でフラップ部１８を封緘するようにしてもよい。このようにすれば、生活者の封緘の手間が軽減できる。
【図面の簡単な説明】
【００２６】
【図１】本発明による往復封筒の実施例１を示す図である。
【図２】本発明による往復封筒の実施例２を示す図である。
【図３】本発明による往復封筒の実施例３を示す図である。
【符号の説明】
【００２７】
１０、１０Ａ、１０Ｂ  往復封筒
１１  封筒本体
１１−１  第１のシート
１１−２  第２のシート
１１−３  第３のシート
１２  往路用宛先部
１２ａ  往路用宛先表示欄
１２ｂ  往路用バーコード（識別情報）
１３  復路用宛先部
１３ａ  復路用宛先表示欄
１３ｂ  復路用バーコード
１４  控片
１４ａ  店側控
１４ｂ  運輸会社控
１４ｃ  客側控
１５  形状維持シート
１５ａ  広告欄
１６  取り出し口
１７  誘導文（使用方法表示部）
１８  フラップ部
１９  擬似接着層
１９ａ  剥離層
１９ｂ  接着剤
ｈｃ  ハーフカット
ｍｃ１  分離用ミシン目
ｍｃ２  開封用ミシン目（分離開封手段）
【図１】
2006306409.tif 000003
【図２】
2006306409.tif 000004
【図３】
2006306409.tif 000005